(57)【要約】【課題】  簡易な構成で、横引き管内での異物の堆積を防止できる節水型に適した小便器システムを提供する。【解決手段】小便器１０〜１２を洗浄する洗浄水として洗浄水供給管２０より中水を供給する構成である。中水を供給する洗浄水供給管２０と横引き管４０とをバイパス管６０により直接連結している。そのため、適宜のタイミングで、横引き管４０内に直接所定量の中水を流し、それにより、横引き管４０内で溜まっている体毛等の異物を流出させることができる。しかも、横引き管４０に中水を供給するにはバイパス管６０に弁機構６１を介在させた構成で済み、中途にタンクを配設する必要がなくなるため、構成が簡易で低コストのシステムとすることができる。【選択図】    図１
2015132099.tif 000002
【特許請求の範囲】
【請求項１】
小便器と、
前記小便器の排水部が接続され、前記小便器を通過した排水が流れる横引き管と
を備えてなる小便器システムであって、
前記小便器に洗浄水として中水を供給する洗浄水供給管と、
前記横引き管と前記洗浄水供給管とを接続するバイパス管と、
前記バイパス管に設けられる弁機構と
を有し、前記弁機構を開弁して前記洗浄水供給管から前記バイパス管を経由して前記横引き管に、前記中水を直接供給可能であることを特徴とする小便器システム。
【請求項２】
前記バイパス管は、前記横引き管のうち、その最も上流側で接続されている前記小便器のさらに上流側に接続されている請求項１記載の小便器システム。
【請求項３】
前記バイパス管に設けられる弁機構よりも下流に、前記横引き管に薬液を供給する薬液供給手段が設けられている請求項１又は２記載の小便器システム。
【請求項４】
前記洗浄水供給管に、前記小便器に薬液を供給する薬液供給手段が設けられている請求項１〜３のいずれか１に記載の小便器システム。
【請求項５】
前記横引き管に、前記横引き管内を流れる前記薬液を含む排水の一部を一時的に滞留可能な排水滞留手段が設けられている請求項３又は４記載の小便器システム。
【請求項６】
前記排水滞留手段は、前記横引き管のうち、その最も下流側で接続されている前記小便器のさらに下流側に配設され、前記横引き管内を流れる排水が通常時に通過する通常時経路と、排水滞留時に通過する滞留時経路とを有している請求項５記載の小便器システム。
【請求項７】
洗浄水供給管から小便器に洗浄水としての中水を供給して洗浄し、前記各小便器を通過した排水を横引き管に排出する中水を利用した小便器システムにおける洗浄方法において、
前記洗浄水供給管を流れる中水を、前記横引き管内の異物を除去するため、所定のタイミングで前記横引き管に直接供給することを特徴とする小便器システムの洗浄方法。
【請求項８】
前記小便器システムが、前記横引き管と前記洗浄水供給管とを接続するバイパス管と、前記バイパス管に設けられる弁機構とを有し、かつ、前記バイパス管が、前記横引き管のうち、その最も上流側で接続されている前記小便器のさらに上流側に接続されており、
前記弁機構を開弁して、前記中水を、前記バイパス管を介して、前記最も上流側で接続された前記小便器のさらに上流側から供給する請求項７記載の小便器システムの洗浄方法。
【請求項９】
薬液を所定のタイミングで前記バイパス管を介して前記横引き管に供給する請求項７又は８記載の小便器システムの洗浄方法。
【請求項１０】
薬液を所定のタイミングで前記洗浄水供給管を介して前記小便器に供給する請求項７〜９のいずれか１に記載の小便器システムの洗浄方法。
【請求項１１】
前記横引き管内を流れる前記薬液を含む排水の一部を一時的に滞留させる請求項９又は１０記載の小便器システムの洗浄方法。
【発明の詳細な説明】
【技術分野】
【０００１】
本発明は、小便器システム及び小便器システムの洗浄方法に関する。
【背景技術】
【０００２】
尿中のカルシウム分は、細菌の働きによって水に溶けない成分に変化し、これに腐敗有機物が複雑に混ざり合うことで、小便器排水管系にスケール（尿石）として強固に付着する。特に、ホテル、オフィスビル、百貨店、駅などのように多数の小便器が併設される場所では、各小便器を、床スラブ下に設けた共通の横引き管に連通し、この横引き管を経由させて排水竪管へと排水を導いている。しかるに横引き管の勾配は１／５０〜１／１００程度であるため、小便器排水管系の中でも、排水竪管に至るまでの横引き管において尿石の付着量が多い。従来、横引き管を初めとする小便器排水管系の洗浄は、高圧洗浄水を供給し、水圧によって、付着した尿石を排水管内壁から剥離させるか、これに加え、あるいはこれに代えて、尿石を溶かす専用の管洗浄用の薬液や殺菌効果の高い薬液（殺菌水）などを供給して洗浄している。
【０００３】
しかし、近年、洗浄水の節水化により、各小便器１回あたりの給水量がそれまでの３．５〜５リットルから１〜２リットル程度に減少している。そのため、横引き管内の尿石の付着量の増加のほか、体毛などの異物が流れずに横引き管内に留まってしまうことが多くなっている。
【０００４】
この点に鑑み、特許文献１では、小便器より上流側に洗浄水を溜めるタンクを配設すると共に、このタンクの出口管を横引き管に連結し、所定の時刻に、例えば、利用頻度が少ない夜間などに、このタンクから洗浄水を横引き管に放水し、その流れにより異物を流す技術が開示されている。また、必要に応じて、放水後殺菌水を流すことも特許文献１に開示されている。
【先行技術文献】
【特許文献】
【０００５】
【特許文献１】特開２０１０−１２１２７６号公報
【発明の概要】
【発明が解決しようとする課題】
【０００６】
特許文献１では、洗浄水として水道水（上水）を使用している。上水を供給する給水管は、横引き管と直接連結することは、バルブを介したとしても逆流のおそれがあるため法律で禁止されている。そのため、特許文献１では、両者間にタンクを配置し、上水（洗浄水）をタンクに一旦貯留し、貯留した上水（洗浄水）を横引き管に放水する構成としている。しかし、このようなタンクを設けることは設備が複雑化し、設置費用が嵩む。
【０００７】
一方、節水型の場合、洗浄水の量が少ないことから、洗浄水で流しても尿が薄まらず、高濃度のまま横引き管に流れる。小便器と横引き管との間のトラップも、洗浄水量が少ないため、あまり大きな容量とすることはできない。しかも、洗浄水量が少ないため横引き管内に高濃度の尿が滞留しやすい。これらの要因により、節水型の小便器システムは排水管系が詰まりやすいばかりでなく、臭気の点でも改善の余地が大きい。特許文献１は、この点に鑑み、横引き管内に上水を直接流し、その後に殺菌水を直接流すことを提案している。しかし、上記したタンクを設けた上で、このような殺菌水を供給する設備を設けることは構造の複雑化、コストアップにつながる。これに対し、節水型でない従来の小便器システムでは、小便器と横引き管との間のトラップに０．５リットル前後の洗浄水が常に溜まっている。そのため、尿が確実に押し流され、かつ、トラップにおいてしっかり封水され、また、洗浄水と共に小便器に薬液を流せば、洗浄水と共にトラップにおいて薬液が滞留し、所定の殺菌効果が期待できる。
【０００８】
本発明は上記に鑑みなされたものであり、横引き管を洗浄するためのタンクを不要とし、簡易な構成とすることができ、望ましくは、小便器に流す洗浄水と共に薬液を供給した場合でも、所定の薬液効果を期待でき、特に節水型として適する小便器システム及び該小便器システムの洗浄方法を提供することを課題とする。
【課題を解決するための手段】
【０００９】
上記課題を解決するため、本発明の小便器システムは、小便器と、前記小便器の排水部が接続され、前記小便器を通過した排水が流れる横引き管とを備えてなる小便器システムであって、前記小便器に洗浄水として中水を供給する洗浄水供給管と、前記横引き管と前記洗浄水供給管とを接続するバイパス管と、前記バイパス管に設けられる弁機構とを有し、前記弁機構を開弁して前記洗浄水供給管から前記バイパス管を経由して前記横引き管に、前記中水を直接供給可能であることを特徴とする。
【００１０】
前記バイパス管は、前記横引き管のうち、その最も上流側で接続されている前記小便器のさらに上流側に接続されていることが好ましい。前記バイパス管に設けられる弁機構よりも下流に、前記横引き管に薬液を供給する薬液供給手段が設けられていることが好ましい。前記洗浄水供給管に、前記小便器に薬液を供給する薬液供給手段が設けられていることが好ましい。前記横引き管に、前記横引き管内を流れる前記薬液を含む排水の一部を一時的に滞留可能な排水滞留手段が設けられていることが好ましい。前記排水滞留手段は、前記横引き管のうち、その最も下流側で接続されている前記小便器のさらに下流側に配設され、前記横引き管内を流れる排水が通常時に通過する通常時経路と、排水滞留時に通過する滞留時経路とを有していることが好ましい。
【００１１】
本発明の小便器システムの洗浄方法は、洗浄水供給管から小便器に洗浄水としての中水を供給して洗浄し、前記各小便器を通過した排水を横引き管に排出する中水を利用した小便器システムにおける洗浄排水方法において、前記洗浄水供給管を流れる中水を、前記横引き管内の異物を除去するため、所定のタイミングで前記横引き管に直接供給することを特徴とする。
【００１２】
前記小便器システムが、前記横引き管と前記洗浄水供給管とを接続するバイパス管と、前記バイパス管に設けられる弁機構とを有し、かつ、前記バイパス管が、前記横引き管のうち、その最も上流側で接続されている前記小便器のさらに上流側に接続されており、前記弁機構を開弁して、前記中水を、前記バイパス管を介して、前記最も上流側で接続された前記小便器のさらに上流側から供給する構成とすることが好ましい。薬液を所定のタイミングで前記バイパス管を介して前記横引き管に供給することが好ましい。また、薬液を所定のタイミングで前記洗浄水供給管を介して前記小便器に供給する構成とすることもできる。前記横引き管内を流れる前記薬液を含む排水の一部を一時的に滞留させる構成とすることが好ましい。
【発明の効果】
【００１３】
本発明は、小便器を洗浄する洗浄水として中水を供給する構成である。これにより、中水を供給する洗浄水供給管と横引き管とをバイパス管により直接連結して、適宜のタイミングで、横引き管内に直接所定量の中水を流し、それにより、横引き管内で溜まっている体毛等の異物を流出させることができる。しかも、横引き管に中水を供給するにはバイパス管に弁機構を介在させた構成で済み、中途にタンクを配設する必要がなくなるため、構成が簡易で低コストのシステムとすることができる。
【００１４】
また、尿石付着防止効果や殺菌効果等の高い薬液を、バイパス管を介して供給する構成とすることが好ましく、その薬液効果により、横引き管内への尿石の付着等を防止できる。従来の小便器システムでは、小便器に薬液を供給していただけであるが、本発明によれば、バイパス管を介して直接横引き管に薬液を供給でき、高い薬液効果が得られる。従って、本発明は、節水型の小便器システムの課題であった早期に横引き管が異物や尿石の付着により詰まったり、あるいは異臭が漂ったりすることを解決するのに適している。もちろん、洗浄水供給管から小便器に薬液を供給する手段を併用してもよい。
また、横引き管内を流れる排水の一部を一時的に滞留可能な排水滞留手段を設けた構成とすることにより、上記のように供給される薬液が含まれる排水を横引き管内で一時的に滞留させることができ、その薬液効果により、横引き管内への尿石付着防止効果や殺菌効果等をさらに高めることができる。
【図面の簡単な説明】
【００１５】
【図１】図１は、本発明の一の実施形態に係る小便器システムの概要を示した模式図である。
【図２】図２は、小便器のトラップの構造を説明するための図である。
【図３】図３は、排水滞留手段の例を説明するための図である。
【発明を実施するための形態】
【００１６】
以下、図面を用いて、本発明の実施形態を説明する。
図１は、本実施形態に係る小便器システムの概略構成を示した図である。この図に示したように、例えば、本実施形態では、まず、小便器１０〜１２が壁面に並列に配置されている。小便器１０〜１２には、洗浄水供給管２０がそれぞれに接続されており、フラッシュバルブ１０ａ〜１２ａの作動によって、洗浄水供給管２０を介して各小便器１０〜１２に洗浄水が供給される。洗浄水供給管２０は、中水（排水の再利用水）の供給源に接続され、中水を供給する。
【００１７】
各小便器１０〜１２には、尿石除去効果や殺菌効果等の高い薬液を供給する薬液供給手段が付設されている。本実施形態では、図１に示したように、最も上流側に設置されている小便器１２のさらに上流側に位置する洗浄水供給管２０に薬液供給手段としての薬液供給装置（以下、「小便器用薬液供給装置」という）３０を配設している。小便器用薬液供給装置３０は、薬液貯留タンク３１、ポンプ３２、洗浄水供給管２０に連結される薬液供給管３３及び洗浄水供給管２０内を流れる洗浄水の流量を計測する流量計３４を有して構成され、流量計３４により計測された洗浄水の流量に応じてポンプ３２が動作し、所定量の薬液が薬液貯留タンク３１から薬液供給管３３を介して洗浄水供給管２０に混入される。この小便器用薬液供給装置３０は、１台で、全ての小便器１０〜１２に薬液を供給できるものであり、例えば、日本カルミック株式会社製「サニタイザーＭＫ１１１」（商品名）を用いることができる。
【００１８】
小便器用薬液供給装置３０は、上記した構成のものに限らず、例えば、小便器１０〜１２の設置数に対応して一つずつ設ける構造のもの（例えば、日本カルミック株式会社製「サニタイザーＭＫ７」（商品名））を使用することもできる。
【００１９】
各小便器１０〜１２は、横引き管４０及び排水竪管５０を有する小便器排水管系に接続される。横引き管４０は、床スラブ下に、１／５０〜１／１００程度の勾配で敷設されており、この横引き管４０の先端に排水竪管５０が接続されている。
【００２０】
具体的には、各小便器１０〜１２は、その排水管１０ｃ〜１２ｃが横引き管４０に接続されて配設される。各小便器１０〜１２の下部の排水口には、図２に示したように、目皿タイプのトラップ１０ｂ〜１２ｂが設けられている。これは、いわゆる節水型の小便器１０〜１２において多く採用される排水トラップであり、各小便器１０〜１２に放出される洗浄水量が少ないため、通常の管トラップと比較して、トラップ１０ｂ〜１２ｂの容量が小さい構造となっている。
【００２１】
横引き管４０には、本実施形態のように排水滞留手段４００を設けることが好ましい。この排水滞留手段４００は、横引き管４０のうち、その最も下流側で接続されている小便器（図１では符号１０の小便器）のさらに下流側に設けられる。排水滞留手段４００は、横引き管４０内を流れる排水を一時的に滞留する機能を有する。小便器１０〜１２には、上記のように小便器用薬液供給装置３０から尿石付着防止効果や殺菌効果の高い薬液が供給されるが、本実施形態のような節水型の小便器システムではトラップ１０ｂ〜１２ｂの容量が小さく、短い滞留時間で排水されてしまい、薬液効果を十分には発揮できない場合がある。
【００２２】
そこで、排水滞留手段４００によって横引き管４０内を流れる薬液を含む排水を一時的に滞留させるようにすれば、薬液の滞留時間が長くなり、薬液効果を高めることができる。排水滞留手段４００は、排水を一時的に滞留させることができる限りその構造は限定されるものではない。但し、排水を常時滞留させる構造のものは通常時の速やかな排水を妨げるため好ましくなく、通常時は滞留させずに、所定の時間帯のみ、あるいは、必要なタイミングのみ、一時的に滞留機能を果たす構造である必要がある。
【００２３】
図３は、排水滞留手段４００の一例を示したものであり、直線状に形成された通常時経路４１０と、一端４２０ａが通常時経路４１０の上流側で連絡し、他端４２０ｂが通常時経路４１０における一端４２０ａとの連絡位置よりも下流で連絡する迂回路となっている滞留時経路４２０とを有している。通常時経路４１０における、滞留時経路４２０の一端４２０ａ及び他端４２０ｂとの各連絡位置の間に切替弁４３０が設けられている。そして、横引き管４０に、滞留時経路４２０が上側となるように介在配設する。切替弁４３０を通常時経路４１０に沿った方向（図３の二点鎖線の向き）に調整すると、排水は、この通常時経路４１０を通過するが、切替弁４３０を通常時経路４１０に直交する方向（図３の実線の向き）ように調整すると、排水は、通常時経路４１０を通過できずに滞留時経路４２０に迂回しようとする。従って、排水は、切替弁４３０で止まって、滞留時経路４２０に迂回可能な高さになるまで、横引き管４０内で滞留することになる。横引き管４０内で滞留可能な排水の滞留量は、通常時経路４１０を中心とした場合に、滞留時経路４２０をどの程度の角度で配置するかによって変わり、通常時経路４１０の直上に位置するように調整すると最も滞留量が多くなる。
【００２４】
ここで、本実施形態の小便器システムは、洗浄水供給管２０と横引き管４０とを直接接続するバイパス管６０が配設されていることを特徴とする。バイパス管６０は、具体的には、洗浄水供給管２０のうち、最も上流側で接続されている小便器１２のさらに上流側と、横引き管４０のうち、その最も上流側で接続されている小便器１２のさらに上流側、例えば、横引き管４０の上流側端部４０ａに接続されている。また、バイパス管６０には弁機構６１が介在配設される。従って、弁機構６１を開弁動作させると、中水が、洗浄水供給管２０からバイパス管６０に流れ、さらに、横引き管４０に流れることになる。
【００２５】
また、バイパス管６０のうち、弁機構６１の下流側には、横引き管に薬液を供給する薬液供給手段としての薬液供給装置（以下、「横引き管用薬液供給装置」という）７０が設けられる。横引き管用薬液供給装置７０は、尿石付着防止効果や殺菌効果等の高い薬液を貯留するタンク７１と、タンク７１から薬液を吸い上げるポンプ７２と、バイパス管６０に接続される薬液供給管７３とを有している。バイパス管６０を介して中水を流す際に、適宜のタイミングで横引き管用薬液供給装置７０から薬液が混入され、横引き管４０に直接供給される。そのため、高い薬液効果が期待できる。
【００２６】
次に、本実施形態の作用を説明する。
通常使用時においては、バイパス管６０の弁機構６１は閉弁状態にしておく。また、本実施形態のように排水滞留手段４００を備えている場合には、排水滞留手段４００の切替弁４３０を通常時経路４１０に沿った方向となるように調整し、開弁状態としておく。これにより、小便器１０〜１２が使用され、フラッシュバルブ１０ａ〜１２ａが開弁状態になると、洗浄水供給管２０から洗浄水としての中水が各小便器１０〜１２に供給される。なお、この中水には、小便器用薬液供給装置３０から供給された所定量の薬液が混入している。小便器１０〜１２を流れた中水は、トラップ１０ｂ〜１２ｂから排水管１０ｃ〜１２ｃを経由して横引き管４０に排水される。横引き管４０を流れる排水は排水滞留手段４００の通常時経路４１０を通過し、滞留することなく、排水竪管５０に排水される。もちろん、通常使用時におけるこの過程においても、尿石付着防止効果や殺菌効果を有する上記薬液が作用する。
【００２７】
所定のタイミングで、例えば、タイマーによって数時間に１回等の設定した時間により、排水滞留手段４００の切替弁４３０を、通常時経路４１０に直交する方向（図３の実線の向き）に切り替える。これにより、横引き管４０内を流れる排水は、滞留時経路４２０に流れるまでは切替弁４３０で止まり、横引き管４０内に滞留する。横引き管４０内を流れる排水には、上記のように尿石付着防止効果や殺菌効果を有する薬液が含まれており、この滞留によって、通常使用時よりも高い薬液効果が得られる。
【００２８】
また、所定のタイミングで、例えば、上記と同様にタイマーによって設定された数時間に１回のタイミングで、あるいは、使用者がほとんどいない時間帯（例えば深夜）において、バイパス管６０の弁機構６１を開弁する。このとき、排水貯留手段４００は、通常時経路４１０を排水が通過可能に切り替えておく。
【００２９】
弁機構６１を開弁することにより、洗浄水供給管２０の中水は、バイパス管６０を経由して、上流側端部４０ａから横引き管４０内に直接流れる。上記のように、節水型の小便器システムは、洗浄水量が少ないため、体毛や塵芥などの異物が流れにくく、小便器１０〜１２の排水管１０ａ〜１２ａと横引き管４０との接続部１０ｄ〜１２ｄなどにおいて、それらが引っかかって溜まっていることが多い。しかし、本実施形態によれば、洗浄水供給管２０の中水をバイパス管６０を介して直接横引き管４０内に供給できるため、その中水の流れの勢いにより、引っかかっている体毛などの異物を押し流すことができる。これにより、横引き管４０内の詰まりを原因とする排水不良、悪臭などを低減することができる。また、洗浄水供給管２０はあくまで洗浄水として中水を供給する構成となっているため、バイパス管６０を介して横引き管４０に接続しても問題がなく、実用性の点でも優れている。
【００３０】
バイパス管６０を介して中水を流す際に、適宜のタイミングで横引き管用薬液供給装置７０から薬液を供給する。上記のように、バイパス管６０を通じて勢いよく中水を流すことで、横引き管４０内に留まっている異物を押し流す工程を実施する前又は後に、あるいは、その両方のタイミングにおいて、弁機構６１によって流量を調整しながら、バイパス管６０に所定量の中水を流す。この際、横引き管用薬液供給装置７０から薬液を供給する。それにより、横引き管４０内が薬液によって殺菌等される。また、横引き管用薬液供給装置７０から薬液を供給するタイミングにおいても、排水滞留手段４００を、滞留時経路４２０側に流れるように切り替えておくことが好ましい。これにより、薬液の滞留時間が長くなり、より高い薬液効果を期待できる。
【符号の説明】
【００３１】
１０，１１，１２  小便器
２０  洗浄水供給管
３０  小便器用薬液供給装置
４０  横引き管
４００  排水滞留手段
４１０  通常時経路
４２０  滞留時経路
４３０  切替弁
５０  排水竪管
６０  バイパス管
６１  弁機構
７０  横引き管用薬液供給装置
【図１】
2015132099.tif 000003
【図２】
2015132099.tif 000004
【図３】
2015132099.tif 000005